(57)【要約】【課題】  より操作性を向上させた、複数のアプリケーションソフトを実行可能な電子機器を提供すること。【解決手段】  操作入力に応答して複数のアプリケーションソフトを選択実行し、かつ前記複数のアプリケーションソフトのそれぞれに対応した複数のアイコンを表示部に表示するよう制御可能な制御部と、前記複数のアプリケーションソフトがそれぞれ通常アプリケーションソフトか特別アプリケーションソフトかを識別する識別情報を記憶可能な記憶部と、を備え、前記制御部は、前記通常アプリケーションソフトに対応するアイコンを第１態様で前記表示部に表示し、前記特別アプリケーションソフトに対応するアイコンを第２態で前記表示部に表示するよう制御可能であり、前記特別アプリケーションソフトは、前記通常アプリケーションソフトとは異なる、ユーザの操作で選択実行されることを特徴とする電子機器を提供する【選択図】  図１
2015114760.tif 000002
【特許請求の範囲】
【請求項１】
操作入力に応答して複数のアプリケーションソフトを選択実行し、かつ前記複数のアプリケーションソフトのそれぞれに対応した複数のアイコンを表示部に表示するよう制御可能な制御部と、
前記複数のアプリケーションソフトがそれぞれ通常アプリケーションソフトか特別アプリケーションソフトかを識別する識別情報を記憶可能な記憶部と、
を備え、
前記制御部は、前記通常アプリケーションソフトに対応するアイコンを第１態様で前記表示部に表示し、前記特別アプリケーションソフトに対応するアイコンを第２態様で前記表示部に表示するよう制御可能であり、
前記特別アプリケーションソフトは、前記通常アプリケーションソフトとは異なる、ユーザの操作で選択実行されることを特徴とする電子機器。
【請求項２】
前記制御部は、前記複数のアイコンが前記表示部に表示された状態での操作入力に応答して、前記複数のアプリケーションソフトの少なくとも１つを特別アプリケーションソフトとする識別情報を前記記憶部に記憶させるよう制御可能である、
ことを特徴とする請求項１に記載の電子機器。
【請求項３】
前記制御部は、前記複数のアイコンのうちの第１のアイコン群を前記表示部に表示する第１表示状態と、前記複数のアイコンのうちの第２のアイコン群を前記表示部に表示する第２表示状態とを切り替えるよう制御可能であり、かつ前記第１表示状態及び前記第２表示状態のいずれの場合にも、前記特別アプリケーションに対応したアイコンを前記表示部に表示するよう制御可能である、
ことを特徴とする請求項１または請求項２に記載の電子機器。
【請求項４】
該電子機器を無線で操作可能な操作機器に対して、前記特別アプリケーションソフトのアイコンに関する情報を送信可能な送信部をさらに備える、
ことを特徴とする請求項１乃至請求項３のいずれか１項に記載の電子機器。
【発明の詳細な説明】
【技術分野】
【０００１】
本発明の一態様は、リモコン等によって操作可能な、複数のアプリケーションソフトを実行可能な電子機器に関し、特にその操作性を高められた電子機器に関する。
【背景技術】
【０００２】
近年、電子機器が多機能化し、操作用リモコン（「リモートコントローラー」とも呼ばれる）等のボタン数を増加させるか、または操作用リモコン等のボタン数自体は増加させずに複数回のボタン操作が必要となる電子機器がある。このような電子機器においては、ユーザの使用頻度が高い機能をより簡便な操作で実行可能にするために、ショートカットキーやショートカットアイコンが設けられる場合がある。例えば、引用文献１によれば、比較的シンプルな操作でショートカットアイコンの登録が可能なショートカットアイコンの登録方法が開示されている。また、引用文献２によれば、テレビ機器においてショートカットキーへの登録をしやすくして操作性を向上させることを目的とする技術が開示されている。
【先行技術文献】
【特許文献】
【０００３】
【特許文献１】特開２０１２−１２３４７７号公報
【特許文献２】特開２００７−５３６５０号公報
【発明の概要】
【発明が解決しようとする課題】
【０００４】
しかしながら、引用文献１及び引用文献２に記載された技術を含む上記従来の技術では、ショートカットキーやショートカットアイコンに割り当てられた機能を容易に確認することができないという課題が存在していた。また、上記従来の技術では、そもそも多数のアプリケーションソフトの一覧表示が可能な機器については想定されておらず、このような機器に適した方法が提供されていなかった。
【０００５】
本発明は、このような背景の下でなされたものであり、その目的のひとつは、より操作性を向上させた、複数のアプリケーションソフトを実行可能な電子機器を提供することにある。また、別の目的としては、このような複数のアプリケーションソフトを実行可能な電子機器において、ショートカットキーへの特定の機能等の登録を容易にすることにある。
【課題を解決するための手段】
【０００６】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００７】
本発明の一手段は、
操作入力（ユーザによる操作）に応答して複数のアプリケーションソフトを選択実行し、かつ前記複数のアプリケーションソフトのそれぞれに対応した複数のアイコンを表示部（表示部１３０）に表示するよう（図２等参照）制御可能な制御部（制御部１１０）と、
前記複数のアプリケーションソフトがそれぞれ通常アプリケーションソフト（ワンタッチアプリ起動キーに割り当てられていないアプリケーションソフト）か特別アプリケーションソフト（ワンタッチアプリ起動キーに割り当てられたアプリケーションソフト）かを識別する識別情報を記憶可能な記憶部（メモリ１２０）と、
を備え、
前記制御部は、前記通常アプリケーションソフトに対応するアイコンを第１態様（強調表示でない通常態様）で前記表示部に表示し、前記特別アプリケーションソフトに対応するアイコンを第２態様（強調表示である特別態様。図６参照。）で前記表示部に表示するよう制御可能であり、
前記特別アプリケーションソフトは、前記通常アプリケーションソフトとは異なる、ユーザの操作（ワンタッチアプリ起動キーの押下）で選択実行されることを特徴とする電子機器（情報処理装置１０）である。
【０００８】
本手段によれば、複数のアプリケーションソフトのアイコンが表示部に表示された際に、どのアプリケーションソフトが特別アプリケーションソフトか（ワンタッチキーに割り当てられたアプリケーションソフトか）をユーザが一目で理解することができる。
【０００９】
本発明の一手段は、上記手段に加え、
前記制御部（制御部１１０）は、前記複数のアイコンが前記表示部に表示された状態（アプリケーションソフトのアイコンの一覧表示。図４等参照。）での操作入力（ユーザによるワンタッチアプリ起動キーの押下）に応答して、前記複数のアプリケーションソフトの少なくとも１つを特別アプリケーションソフトとする識別情報（識別情報テーブル）を前記記憶部に記憶させるよう制御可能である、
ことを特徴とする電子機器である。
【００１０】
本手段によれば、簡単かつ直感的な操作でアプリケーションソフトをワンタッチアプリ起動キー（またはショートカットキー）に割り当てることが可能となる。
【００１１】
本発明の一手段は、上記手段に加え、
前記制御部は、前記複数のアイコンのうちの第１のアイコン群を前記表示部に表示する第１表示状態（第１ページの表示。図７参照。）と、前記複数のアイコンのうちの第２のアイコン群を前記表示部に表示する第２表示状態（第２ページの表示。図８参照。）とを切り替えるよう制御可能であり、かつ前記第１表示状態及び前記第２表示状態のいずれの場合にも、前記特別アプリケーションに対応したアイコン（ワンタッチアプリ起動キーに登録されたアイコン６０１Ａ〜６０４Ａ）を前記表示部に表示するよう制御可能（図７及び図８参照）である、
ことを特徴とする電子機器である。
【００１２】
本手段によれば、登録されたアプリケーションソフトが多数存在し、複数の表示状態（複数のページにわたるアプリケーションソフトのアイコンの一覧表示）があった場合でも、ユーザはワンタッチアプリ起動キーに登録されているアプリケーションソフトを確認しやすくなる。
【００１３】
本発明の一手段は、上記手段に加え、
該電子機器を無線で操作可能な操作機器（スマートデバイス３０）に対して、前記特別アプリケーションソフトのアイコンに関する情報（アプリケーションの名称、及びアイコンの画像データ）を送信可能な送信部（リモコン送受信部１６０またはＷｉＦｉ送受信部１５０）をさらに備える、
ことを特徴とする電子機器である。
【００１４】
本手段によれば、操作機器（スマートデバイス３０）側でも特別アプリケーションソフト（ワンタッチアプリ起動キーに登録されたアプリケーションソフト）のアイコンを表示可能となり、操作性をより向上させることなどが可能となる。
【図面の簡単な説明】
【００１５】
【図１】システム構成を示す図。
【図２】情報処理装置の表示状態を示す図。
【図３】リモコンを正面から見た図。
【図４】リモコンアプリを起動したスマートデバイスの状態を示す図。
【図５】ワンタッチアプリ起動キーの設定方法を説明するためのフローチャート。
【図６】ワンタッチアプリが強調表示された情報処理装置の表示状態を示す図。
【図７】実施形態２における第１ページを表示した情報処理装置の表示状態を示す図。
【図８】実施形態２における第２ページを表示した情報処理装置の表示状態を示す図。
【図９】実施形態３におけるワンタッチアプリ起動キーの設定方法を説明するためのフローチャート。
【図１０】実施形態３におけるリモコンアプリ起動処理を説明するためのフローチャート。
【図１１】実施形態３におけるワンタッチアプリの登録を行う前の情報処理装置の表示状態を示す図。
【図１２】実施形態３におけるスマートデバイスの表示状態を示す図。
【図１３】実施形態３におけるワンタッチアプリの登録を行った後の情報処理装置の表示状態を示す図。
【発明を実施するための形態】
【００１６】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．定義
２．実施形態１
（１）システム構成
（２）情報処理装置の構成
（３）リモコンの構成
（４）スマートデバイスの構成
（５）各部の動作
（６）ワンタッチアプリ起動キーの設定方法
（７）表示部での表示態様
３．実施形態２
４．実施形態３
（１）ワンタッチアプリ起動キーの設定方法
（２）リモコンアプリの起動処理
（３）ワンタッチアプリ起動キーを設定したときの表示部での表示
５．補足事項
【００１７】
＜１．定義＞
まず、本明細書において用いる用語を以下のとおり定義する。ただし、各用語の解釈は下記の定義よってのみ限定解釈または拡大解釈されるべきではなく、当業者が発明の趣旨に沿って理解するものも考慮される。
「アプリケーションソフト」：特定のプログラムに沿って実行されるソフトを指す。本明細書中で「アプリ」と呼称する場合がある。
「リモコン」：特定の機器を無線で操作可能な操作端末を指す。リモートコントローラーとも呼ぶ場合がある。
「スマートデバイス」：アプリを実行可能なデバイスを指す。本明細書においては、少なくともリモコンアプリを実行可能なデバイスを指す。
「ワンタッチアプリ起動キー」：ユーザが押下することで特定のアプリ（ワンタッチアプリ）を選択実行するキー（ボタン）を指す。明細書中で「ショートカットキー」と呼称する場合がある。なお、「ワンタッチ」とは、必ずしもユーザによる１回の接触操作を指すものではなく、例えば第１のキーを押下した状態で、第２のキーを押下するようなものをも含む。
「キー」：ユーザが接触可能な操作部位を指す。必ずしも物理的キー（ボタン）である必要はなく、キー状に表示されたタッチパネルの一部位などをも含む。
「押下」：キーをユーザが押すことを指すが、操作部位がタッチパネルの場合には、接触動作をも含む。
「選択実行」：アプリを起動して実行したり、スタンバイ状態になっているアプリを選択的にアクティブ状態に移行させたりすることを指す。
【００１８】
＜２．実施形態１＞
本発明の実施形態１について、図１乃至図６を参照しながら説明する。
【００１９】
＜（１）システム構成＞
図１は、本発明のシステム構成を示す図である。図１に示すように、本発明のシステムは、情報処理装置１０、リモコン２０、及びスマートデバイス３０を含んで構成される。情報処理装置１０はリモコンアンテナ１８０及びリモコンアンテナ２６０を介して、リモコン２０との間で無線での信号の送受信が可能である。情報処理装置１０は、ＷｉＦｉアンテナ１７０、ＷｉＦｉアンテナ３７０及び無線ルータ４０を介して、スマートデバイス３０との間で無線での信号の送受信が可能である。リモコン２０及びスマートデバイス３０は、ユーザの操作に応答して所定の信号を情報処理装置１０に送信可能に構成される。本システムは、情報処理装置１０及びリモコン２０、または情報処理装置１０及びスマートデバイス３０といった組み合わせで利用されることがある。
【００２０】
＜（２）情報処理装置の構成＞
情報処理装置１０は、複数のアプリケーションソフト（アプリ）を実行可能な装置である。また、情報処理装置１０は、表示部１３０にこれらの複数のアプリのそれぞれに対応した複数のアイコンを表示可能に構成されている。なお、ここでは表示部１３０が情報処理装置１０の構成の一部として説明するが、必ずしも情報処理装置１０が表示部１３０を構成として備える必要はない。すなわち、情報処理装置１０がテレビジョンのような装置である場合は表示部１３０を備えるが、情報処理装置１０が例えばセットトップボックス（ＳＴＢ）のような装置である場合もある。この場合、表示部１３０は情報処理装置１０の外部に、別装置として接続される。
【００２１】
情報処理装置１０は、図１に示されるように、制御部１１０、メモリ１２０、表示部１３０、操作部１４０、ＷｉＦｉ送受信部１５０、リモコン送受信部１６０、及びリモコンアンテナ１８０を含んで構成される。
【００２２】
＜制御部１１０＞
制御部１１０は、メモリ１２０に格納されたアプリを実行可能であって、この実行した結果や他の構成からの入力信号に基づいて、他の構成を制御可能に構成されている。制御部１１０は、アプリの実行結果に応じて、表示部１３０に所定の情報を表示したり、メモリ１２０に所定の情報を記憶させたり、ＷｉＦｉ送受信部１５０に対してスマートデバイス３０に所定の信号を送信することを指示したりする。また、制御部１１０は、操作部１４０からの操作入力信号に応答して、複数のアプリを選択実行可能に構成されている。制御部１１０は、メモリ１２０に格納された実行可能な複数のアプリのそれぞれに対応した複数のアイコンを、通常態様または特別態様で表示部１３０に表示するように制御可能である。ここで、後述するように、特別態様とは、そのアイコンに対応するアプリがワンタッチアプリに登録されていることを視認可能な態様を指し、通常態様とは、この特別態様とは異なる通常の態様を指す。
【００２３】
さらに、制御部１１０は、後述するように、複数のアイコンが表示部１３０に表示された状態でのユーザによる操作部１４０を介した操作入力に応答して、ユーザによって特定されたアプリをワンタッチアプリに割り当てるため、所定の識別情報をメモリ１２０に記憶させる処理を実行可能である。
【００２４】
＜メモリ１２０＞
メモリ１２０は、複数のアプリのプログラムを格納し、識別情報を含む多様な情報を記憶可能に構成されている。また、メモリ１２０は、これらの複数のアプリのプログラムのうち、ワンタッチアプリ起動キー（後述）に割り当てられたアプリ（「ワンタッチアプリ」とも呼ぶ）を識別情報テーブルとして記憶している。すなわち、メモリ１２０は特定のワンタッチアプリ起動キーとアプリとの対応関係を記憶している。メモリ１２０は、制御部１１０からの要求に応じて、格納した情報を適宜、制御部１１０に送信可能に構成されている。
【００２５】
＜表示部１３０＞
表示部１３０は、制御部１１０からの指示に基づいて所定の情報を表示可能に構成されている。表示部１３０は、例えば、複数のアプリのそれぞれに対応した複数のアイコンを表示したり、特定のアプリを実行した結果を表示したりすることが可能である。この表示部１３０は、ＬＣＤや有機ＥＬ表示装置等によって構成されうる。なお、表示部１３０は必ずしも情報処理装置１０に渾然一体にされる必要はなく、情報処理装置１０の外部機器として設けられてもよい。
【００２６】
図２は、情報処理装置１０の表示部１３０の表示状態の一例を示す図である。この図２は、表示部１３０にアプリのアイコンの一覧が表示された状態であり、アイコン６０１〜６２４が整列された状態で表示されている。ユーザがリモコン２０を使って所定の入力を行うことで、ポインタまたはカーソル（図示せず）が移動表示したり、ポインタまたはカーソルの下にあるアイコンに対応したアプリが実行されたりする。
【００２７】
＜操作部１４０＞
操作部１４０は、ユーザからの操作を受け付け、係る操作に対応する操作入力信号を制御部１１０に送信可能に構成されている。操作部１４０は、物理的なキー（ボタン）であってもよいし、タッチパネルに表示されるキー状のアイコンであってもよい。また、操作部１４０に代えて、リモコン２０またはスマートデバイス３０からの受信信号を操作入力信号として処理される場合もある。この場合、情報処理装置１０は必ずしも操作部１４０を備えない場合もある。
【００２８】
＜ＷｉＦｉ送受信部１５０＞
ＷｉＦｉ送受信部１５０は、制御部１１０からの指示に基づいて、ＷｉＦｉアンテナ１７０から所定の信号を無線で送信可能に構成されている。また、ＷｉＦｉ送受信部１５０は、ＷｉＦｉアンテナ１７０から信号を受信して制御部１１０に出力可能である。ＷｉＦｉアンテナ１７０から送信された信号は、無線ルータ４０を介してスマートデバイス３０のＷｉＦｉアンテナ３７０によって受信される。
【００２９】
＜リモコン送受信部１６０＞
リモコン送受信部１６０は、制御部１１０からの指示に基づいて、リモコンアンテナ１８０から所定の信号を、例えば赤外線通信による無線で、送信可能に構成される。また、リモコン送受信部１６０は、リモコンアンテナ１８０から信号を受信して制御部１１０に出力可能である。リモコンアンテナ１８０から送信された信号は、リモコン２０のリモコンアンテナ２６０によって受信される。
【００３０】
＜ＷｉＦｉアンテナ１７０＞
ＷｉＦｉアンテナ１７０は、ＷｉＦｉ送受信部１５０からの入力信号に基づいて無線信号を送信し、またはスマートデバイス３０が送信する無線信号を受信してＷｉＦｉ送受信部１５０に出力可能に構成されている。
【００３１】
＜リモコンアンテナ１８０＞
リモコンアンテナ１８０は、リモコン送受信部１６０からの入力信号に基づいて無線信号を送信し、またはリモコン２０が送信する無線信号を受信してリモコン送受信部１６０に出力することができるよう構成されている。
【００３２】
＜（３）リモコンの構成＞
リモコン２０は、情報処理装置１０を遠隔操作が可能なリモートコントローラーであって、ユーザによる操作に応じて、リモコンアンテナ２６０及び情報処理装置１０が備えるリモコンアンテナ１８０を介して、情報処理装置１０を操作可能に構成される。リモコン２０は、図１に示されるように、制御部２１０、メモリ２２０、入力キー２３０、ジャイロセンサ２４０、リモコン送受信部２５０、及びリモコンアンテナ２６０を備えて構成される。
【００３３】
＜制御部２１０＞
制御部２１０は、入力キー２３０またはジャイロセンサ２４０から入力される外部入力に応答して、必要に応じてメモリ２２０にアクセスし、リモコン送受信部２５０に対してリモコンアンテナ２６０から無線信号を発信するよう指示可能に構成されている。
【００３４】
＜メモリ２２０＞
メモリ２２０は、情報を記憶可能な不揮発性メモリ等で構成されており、この記憶した情報を制御部２１０に出力可能に構成されている。メモリ２２０は、例えば、入力キー２３０のうちのワンタッチアプリ起動キーと、このワンタッチアプリ起動キーが押下された場合に情報処理装置１０に対して送信する信号の組み合わせテーブル等を記憶可能である。
【００３５】
＜入力キー２３０＞
入力キー２３０は、ユーザが押下可能な複数のキー（ボタン）を備えて構成されており、ユーザのかかるキーの押下操作を検出して、それぞれのキーに対応する操作入力信号を制御部２１０に対して出力可能に構成されている。
【００３６】
図３は、リモコン２０を正面から見た図である。リモコン２０の表面には、キー４０１〜４１２が配置されている（これらを総称して入力キー２３０と呼ぶ）。これらのキーのうち、キー４０１、４０３、４０７及び４０９はワンタッチアプリ起動キーであり、これらのキーがユーザにより押下されると、制御部２１０の制御により、リモコン送受信部２５０はリモコンアンテナ２６０から所定の無線信号を送信することができるよう構成されている。この無線信号には、特定のワンタッチアプリ起動キーが押下された旨、または起動すべきアプリのＩＤが含まれる。
【００３７】
＜ジャイロセンサ２４０＞
ジャイロセンサ２４０は、一般的に知られる角速度を検出可能に構成されたデバイスである。ここでは、ジャイロセンサ２４０は、リモコン２０の動きによって発生する角速度を検出して、検出した信号を制御部２１０に出力可能に構成されている。なお、ジャイロセンサ２４０は、同様の機能を有する動き検出デバイスに置き換えることも可能である。
【００３８】
＜リモコン送受信部２５０＞
リモコン送受信部２５０は、リモコンアンテナ２６０を介して、無線で情報処理装置１０と信号の送受信を実行可能に構成されている。より具体的には、リモコン送受信部２５０は、制御部２１０からの制御に基づいて、リモコンアンテナ２６０から所定の無線信号を送信し、かつ、リモコンアンテナ２６０が受信した信号を制御部２１０に出力可能に構成されている。
【００３９】
＜リモコンアンテナ２６０＞
リモコンアンテナ２６０は、リモコン送受信部２５０からの入力信号に基づいて無線信号を送信し、または情報処理装置１０が送信する無線信号を受信してリモコン送受信部２５０に出力することができるよう構成されている。
【００４０】
＜（４）スマートデバイスの構成＞
スマートデバイス３０は、複数のアプリを実行可能な装置であり、所謂スマートフォン及びタブレット機器のようなものを含む。本発明のスマートデバイス３０は、この複数のアプリの一つであるリモコンアプリを実行可能であり、この実行によってリモコン２０と同様の動作を行うことが可能な装置である。
【００４１】
スマートデバイス３０は、図１に示されるように、制御部３１０、メモリ３２０、タッチパネル３３０、ジャイロセンサ３４０、ＷｉＦｉ送受信部３５０、表示部３６０、及びＷｉＦｉアンテナ３７０を含んで構成される。
【００４２】
＜制御部３１０＞
制御部３１０は、メモリ１２０に格納されたアプリを実行可能であって、その実行結果及び他の構成からの入力信号に基づいて、他の構成を制御可能に構成されている。制御部３１０は、アプリの実行結果に応じて、表示部３６０に所定の情報を表示したり、メモリ３２０に所定の情報を記憶させたり、ＷｉＦｉ送受信部３５０に対して情報処理装置１０に所定の信号を送信することを指示したりすることができる。
【００４３】
また、制御部３１０は、上記のように、メモリ３２０に格納されたリモコンアプリを実行可能に構成されている。このリモコンアプリが実行されることで、スマートデバイス３０はリモコン２０と同様の操作が可能となる。この動作については後述する。
【００４４】
＜メモリ３２０＞
メモリ３２０は、複数のアプリのプログラムを格納し、識別情報を含む多様な情報を格納可能に構成されている。メモリ３２０は、制御部３１０からの要求に応じて、格納した情報を適宜、制御部３１０に送信可能に構成されている。また、上記のとおり、メモリ３２０は少なくともリモコンアプリを格納している。
【００４５】
＜タッチパネル３３０＞
タッチパネル３３０は、ユーザの接触による圧力等を検出し、その検出結果を制御部３１０に送信可能に構成されている。つまり、ユーザは、タッチパネル３３０に指やタッチペンなどの媒体を接触または近接させることで、スマートデバイス３０を操作することが可能である。
【００４６】
＜ジャイロセンサ３４０＞
ジャイロセンサ３４０は、リモコン２０のジャイロセンサ２４０と同様の一般的に知られる角速度を検出可能なデバイスである。ここでは、ジャイロセンサ３４０は、スマートデバイス３０の動きによって発生する角速度を検出して、検出した信号を制御部３１０に出力可能に構成されている。なお、ジャイロセンサ３４０は、同様の機能を有する動き検出デバイスに置き換えることも可能である。
【００４７】
＜ＷｉＦｉ送受信部３５０＞
ＷｉＦｉ送受信部３５０は、制御部３１０からの指示に基づいて、ＷｉＦｉアンテナ３７０から信号を無線で送信可能に構成されている。また、ＷｉＦｉ送受信部３５０は、ＷｉＦｉアンテナ３７０から信号を受信して制御部３１０に出力可能である。ＷｉＦｉアンテナ３７０から送信された信号は、無線ルータ４０を介して情報処理装置１０のＷｉＦｉアンテナ１７０によって受信されうる。
【００４８】
＜表示部３６０＞
表示部３６０は、制御部３１０からの指示に基づいて所定の情報を表示可能に構成されている。表示部３６０は、例えば、制御部３１０が実行する複数のアプリのそれぞれに対応した複数のアイコンを表示したり、特定のアプリを実行した結果を表示したりすることが可能である。また、表示部３６０は、制御部３１０がリモコンアプリを実行する場合には、リモコンに類似した画面表示となり、リモコンに類似した機能の実行及び操作が可能となる。この表示部３６０は、ＬＣＤや有機ＥＬ表示装置等によって構成されうる。
【００４９】
図４は、スマートデバイス３０の表示部３６０の表示状態の一例を示す図である。この図４は、制御部３１０がリモコンアプリを実行中の表示部３６０の状態を示すものであり、仮想キー５０１〜５１２が整列された状態で表示されている。図３と図４とを比較すると、これらの仮想キー５０１〜５１２が、リモコンの入力キー２３０のキー４０１〜４１２と同様の配置になっていることが分かる。このことからも理解可能なように、制御部３１０がリモコンアプリを実行することで、スマートデバイス３０はリモコン２０と同様の機能を実現することができる。リモコン２０と同様に、スマートデバイス３０の仮想キー５０１、５０３、５０７、及び５０９は、ワンタッチアプリ起動キーである。なお、仮想キーは「アイコン」の一態様であり、リモコン２０の入力キー２３０を模した「アイコン」のことを指している。
【００５０】
＜ＷｉＦｉアンテナ３７０＞
ＷｉＦｉアンテナ３７０は、ＷｉＦｉ送受信部３５０からの入力信号に基づいて無線信号を送信し、または情報処理装置１０が送信する無線信号を受信してＷｉＦｉ送受信部３５０に出力可能に構成されている。
【００５１】
＜（５）各部の動作＞
次に、図１乃至図４を参照しながら、ワンタッチアプリ起動キーを操作するときの各部の動作について具体的に説明する。
【００５２】
まず、ユーザによるリモコン２０の操作に応答して情報処理装置１０が動作する仕組みについて簡単に説明する。ユーザがリモコン２０を操作する場合、ユーザがリモコン２０のキー４０１〜４１２のいずれかを押下すると、制御部２１０はその押下を検知し、それぞれのキーに対応する機能を実行する。例えば、ユーザがキー４０２を押下すると、情報処理装置１０の表示部１３０に表示されたポインタまたはカーソルを上方向に移動させることを要求する無線信号を送信するよう、制御部２１０はリモコン送受信部２５０に指示する。この指示に基づいて、リモコン送受信部２５０はリモコンアンテナ２６０から係る指示に対応する信号を送信する。情報処理装置１０のリモコンアンテナ１８０が係る信号を受信すると、リモコン送受信部１６０はこの受信した信号を制御部１１０に出力する。制御部１１０は、係る入力信号に基づいて、表示部１３０に表示されたポインタまたはカーソルを上方向に移動させるよう、その表示を更新する制御を行う。
【００５３】
次に、ユーザがリモコン２０のワンタッチアプリ起動キーを押下した際の動作について説明する。ユーザがリモコン２０のワンタッチアプリ起動キー４０１を押下すると、制御部２１０は、その押下を検知し、このワンタッチアプリ起動キー４０１に対応したアプリを起動することを要求する無線信号を送信するようリモコン送受信部２５０に指示する。リモコン送受信部２５０は、この指示に基づいて、リモコンアンテナ２６０から係る指示に対応する信号を送信する。情報処理装置１０のリモコンアンテナ１８０は、係る信号を受信すると、リモコン送受信部１６０は受信した信号を制御部１１０に出力する。制御部１１０は、この入力信号がワンタッチアプリ起動キー４０１の押下に対応する信号であることを判断した後、ワンタッチアプリ起動キー４０１に対応するアプリを特定するため、メモリ１２０に記憶された識別情報テーブルを参照してワンタッチアプリ起動キーとアプリとの対応関係を特定する。これにより、制御部１１０はワンタッチアプリ起動キー４１０に対応するアプリを特定し、このアプリに対応したプログラムをメモリ１２０から実行する。
【００５４】
一方で、ユーザがリモコン２０ではなくスマートデバイス３０を操作した場合について説明する。上述のように、スマートデバイス３０は、リモコンアプリが実行されている場合にはリモコン２０と同様の操作が可能になる。異なる点は、ユーザは入力キー２３０の操作に代えてタッチパネル３３０を操作することになる点、及び情報処理装置１０との無線信号のやり取りが、リモコンアンテナを介するものではなく、ＷｉＦｉアンテナと無線ルータ４０を介するものになる点であり、その他については大きな差異はない。
【００５５】
＜（６）ワンタッチアプリ起動キーの設定方法＞
次に、ワンタッチアプリ起動キーの設定方法について説明する。図５は、ワンタッチアプリ起動キーの設定方法を示すフローチャートである。本発明のワンタッチアプリ起動キーの設定の特徴を一言で説明すると、複数のアプリに対応する複数のアイコンが表示部１３０に表示された状態で、ワンタッチアプリ起動キーをユーザが押下したとき、このとき選択されたアプリと押下されたワンタッチアプリ起動キーとを対応付けるよう、制御部１１０がメモリ１２０に識別情報を記憶させる点である。以下の説明では、リモコン２０による操作の例を示すが、スマートデバイス３０のリモコンアプリを用いた操作の場合も同様である。
【００５６】
＜Ｓ７００〜Ｓ７４０、Ｓ７７０＞
ユーザによるリモコン２０の操作をきっかけに情報処理装置１０においてワンタッチアプリ起動キーの設定が開始されると（Ｓ７００）、制御部１１０は、表示部１３０にアプリ一覧画面を表示する（Ｓ７１０。図２参照）。このアプリ一覧画面でいずれかのワンタッチアプリ起動キー４０１、４０３、４０７、または４０９が押下されると（Ｓ７２０）、情報処理装置１０の制御部１１０は、アプリが正しく選択されているか否かを判定する（Ｓ７３０）。具体的には、アプリに対応したアイコン６０１〜６２４のいずれかの上に、ポインタまたはカーソルがあるか否かを判定する。アプリが正しく選択されていない場合（Ｓ７３０でＮ）、制御部１１０は表示部１３０に「アプリを選択してください」というエラーメッセージを表示し（Ｓ７４０）、ワンタッチアプリ起動キー設定処理を終了する（Ｓ７７０）。
【００５７】
＜Ｓ７５０、Ｓ７６０＞
Ｓ７３０の判定の結果、アプリが正しく選択されていると制御部１１０が判定した場合（Ｓ７３０でＹ）、制御部１１０は、ワンタッチアプリ起動キーの設定を、選択されたアプリに変更する処理を実行する（Ｓ７５０）。このとき、表示部１３０に「設定を変更しますか？」というメッセージとともに「Ｙｅｓ」及び「Ｎｏ」の選択ボタンを表示し、ユーザが「Ｙｅｓ」を選択した場合にのみ、当該Ｓ７５０の処理を実行するようにしてもよい。具体的には、選択されたアプリと、押下されたワンタッチアプリ起動キーとの対応関係を、識別情報テーブルとしてメモリ１２０に記憶させるよう制御する。その後、制御部１１０は表示部１３０にワンタッチアプリ起動キーの設定が変更された旨を表示し（Ｓ７６０）、処理を終了する。
【００５８】
これによって、以降にリモコン２０のワンタッチアプリ起動キー４０１、４０３、４０７、または４０９が押下された場合には、制御部１１０はメモリ１２０の識別情報テーブルを参照して、ここで対応付けが更新されたアプリを起動することになる。
【００５９】
なお、上記説明ではアプリを起動することについて説明しているが、ワンタッチアプリ起動キーの押下に対応して、スタンバイ状態になっているアプリをアクティブ状態に移行させることも含まれる。
【００６０】
上記のような処理によって、ワンタッチアプリ起動キーの設定を実行させることにより、簡単かつ直感的な操作で、アプリをワンタッチアプリ起動キーに割り当てることが可能となる。
【００６１】
＜（７）表示部での表示態様＞
図６は、情報処理装置１０の表示部１３０に、アプリの一覧が表示された状態を示す図である。ここでは、上記のワンタッチアプリ起動キー設定処理を経て、ワンタッチアプリ起動キー４０１、４０３、及び４０９に、それぞれアイコン６０１Ａ、６０８Ａ、及び６１７Ａに対応するアプリが対応付けされている状態での、アプリ一覧表示状態の表示部１３０の表示を示している。図６に示すように、ワンタッチアプリ起動キーの設定処理の前（図２参照）と比較して、アイコン６０１Ａ、６０８Ａ、及び６１７Ａ（それぞれ、図２の６０１、６０８、及び６１７に対応）の表示態様が変化している。つまり、アプリの一覧を表示部１３０に表示する際、制御部１１０は、ワンタッチアプリ起動キーに割り当てられたアプリについては、その表示態様を、通常態様とは異なる特別態様で表示する。本実施形態においては、この通常態様とは、アプリに対応するアイコンをそのまま表示する態様であって、特別態様とは、アプリに対応するアイコンの枠を赤色の太枠にし、アイコンの右下部に対応するワンタッチアプリ起動キーの番号を付す態様を指す。
【００６２】
このように、表示部１３０での表示態様として上記のように通常態様と特別態様を使い分けることによって、どのアプリが、どのワンタッチアプリ起動キーに割り当てられたアプリかを、ユーザは一目で理解することができるようになる。
【００６３】
＜３．実施形態２＞
次に、本発明の実施形態２について、図７及び図８を参照しながら説明する。実施形態２では、アプリの一覧を表示部１３０に表示するときに特徴があるため、以下の説明ではこのアプリの一覧表示の点について詳細に説明する。以下に説明のないものについては、実施形態１と同様である。
【００６４】
図７は、情報処理装置１０の表示部１３０に、複数のアプリに対応したアイコンの一覧の第１ページが表示された状態を示している。図８は、情報処理装置１０の表示部１３０に、複数のアプリに対応したアイコンの一覧の第２ページが表示された状態を示している。
【００６５】
図７に示す第１ページでは、表示部１３０には、ワンタッチアプリ起動キーに対応付けがなされたアプリに対応するアイコン６０１Ａ〜６０４Ａが、特別態様で表示されている。また、表示部１３０には、ワンタッチアプリ起動キーに対応付けがなされていないアプリに対応するアイコン６０５〜６２０が、通常態様で表示されている。
【００６６】
一方で図８に示す第２ページでは、表示部１３０には、ワンタッチアプリ起動キーに対応付けがなされたアプリに対応するアイコン６０１Ａ〜６０４Ａが、特別態様で表示されている。また、表示部１３０には、ワンタッチアプリ起動キーに対応付けがなされていないアプリに対応するアイコン６２１〜６３４が、通常態様で表示されている。
【００６７】
本実施形態では、情報処理装置１０には、上記のようにアイコンの一覧を表示するページが複数設定されており、ユーザの操作によりこれらの複数のページを切り替えて表示可能になるよう、制御部１１０が動作する。そして、これらの複数のページには、原則としてそれぞれ異なるアプリに対応するアイコンの集合が表示されるが、ワンタッチアプリ起動キーに割り当てられたアプリに対応したアイコンについては例外的に、すべてのページで表示されるよう、制御部１１０が表示部１３０を制御する。
【００６８】
このように、本実施形態ではアイコンの一覧を表示するページが複数設定されている場合に、いずれのページにおいてもワンタッチアプリ起動キーに対応付けられたアプリのアイコンを表示するようにしている。これによって、情報処理装置１０で実行可能なアプリが多数存在し、これらのアプリのアイコンの一覧表示が多数のページにわたる場合であっても、ユーザはワンタッチアプリ起動キーに割り当てられたアプリのアイコンを確認しやすくなる。
【００６９】
＜４．実施形態３＞
次に、本発明の実施形態３について、図９乃至図１３を参照しながら説明する。実施形態３では、ワンタッチアプリ起動キーの設定を行ったときの情報処理装置１０とスマートデバイス３０とのやり取り、及びその後のスマートデバイス３０でリモコンアプリを起動した際のキー表示に特徴があるため、これらの部分を中心に説明する。以下で具体的に説明がない内容については、実施形態１及び実施形態２と同様である。
【００７０】
＜（１）ワンタッチアプリ起動キーの設定方法＞
図９は、本実施形態におけるワンタッチアプリ起動キーの設定方法を示すフローチャートである。図５に示した実施形態１におけるワンタッチアプリ起動キーの設定方法のフローチャートと比較すると、Ｓ７６０の処理の後にＳ７８０の処理が追加されている点について変更があり、それ以外については変更されていない。
【００７１】
＜Ｓ７８０＞
実施形態１で説明したように、制御部１１０は、ワンタッチアプリ起動キーの設定を、ユーザによって選択されたアプリに変更する処理を実行した後（Ｓ７５０）、表示部１３０にワンタッチアプリ起動キーの設定が変更された旨を表示する（Ｓ７６０）。その後、本実施形態においては、制御部１１０は、スマートデバイス３０に対して、ワンタッチアプリ起動キーに対応付けされたアプリのアイコン、及びこのアプリに名称に関する情報を送信する。このＳ７８０の処理は、より具体的には以下のような処理となる。
【００７２】
情報処理装置１０の制御部１１０は、メモリ１２０から、ワンタッチアプリ起動キーに対応付けがされたアプリのアイコンの画像データ、及びこのアプリの名称に関する情報を取得する。そして、制御部１１０は、これらの情報をＷｉＦｉ送受信部１５０に出力するとともに、ＷｉＦｉ送受信部１５０に対して、これらの情報をスマートデバイス３０に送信するよう指示する。ＷｉＦｉ送受信部１５０は、かかる指示に基づいて、ＷｉＦｉアンテナ１７０を介してこれらのアプリ情報を送信する。送信されたアプリ情報は、無線ルータ４０を介在させてスマートデバイス３０のＷｉＦｉアンテナ３７０によって受信される。ＷｉＦｉアンテナ３７０は、この受信したアプリ情報をＷｉＦｉ送受信部３５０に出力する。ＷｉＦｉ送受信部３５０は、入力信号として受け取ったアプリ情報を制御部３１０に出力する。制御部３１０は、このアプリ情報を、特定のワンタッチアプリ起動キーに対応付けがなされたアプリのアイコンとして、メモリ３２０に記憶させる。そして、これ以降にスマートデバイス３０がリモコンアプリを実行する場合には、その表示部３６０のワンタッチアプリ起動キーに対応する部分に、このアプリ情報に基づいて生成されたアイコン及びアプリ名称を表示する。
【００７３】
＜（２）リモコンアプリの起動処理＞
一方で、この情報を受信するスマートデバイス３０では、リモコンアプリが起動されるときに、図１０で示すような以下の処理が実行される。この処理は、情報処理装置１０がリモコン２０とスマートデバイス３０との双方で操作可能であることに鑑み、リモコン２０でワンタッチアプリ起動キーに関する設定の変更があった場合に、スマートデバイス３０でもかかる設定の変更を反映させるために実行されるものである。
【００７４】
＜Ｓ８００〜Ｓ８３０、Ｓ８５０＞
スマートデバイス３０の制御部３１０が、ユーザによるタッチパネル３３０の操作に応答してメモリ３２０に格納されたリモコンアプリを起動すると（Ｓ８００）、制御部１１０は、情報処理装置１０との接続処理を行う（Ｓ８１０）。この接続処理が失敗した場合（Ｓ８２０でＮ）、制御部１１０は表示部３６０に、情報処理装置１０との接続処理が失敗した旨のエラーメッセージを表示して（Ｓ８３０）、リモコンアプリを終了させる（Ｓ８５０）。
【００７５】
＜Ｓ８４０＞
Ｓ８１０の処理で、スマートデバイス３０が情報処理装置１０との接続処理に成功したら（Ｓ８２０でＹ）、制御部３１０は、情報処理装置１０からワンタッチアプリ起動キーに関する情報一式を受信する。この情報一式には、ワンタッチアプリ起動キーのそれぞれに割り当てられたアプリの名称、及びこれらのアプリに対応するアイコンの画像データが含まれている。制御部３１０は、これらの情報一式に基づいて、リモコンアプリの画面を生成し、この生成された画面を表示部３６０に表示し（Ｓ８４０）、リモコンアプリの起動処理を終了する（Ｓ８５０）。
【００７６】
＜（３）ワンタッチアプリ起動キーを設定した時の表示部での表示＞
上記のように、ワンタッチアプリ起動キーの設定を行った場合の、情報処理装置１０の表示部１３０及びスマートデバイス３０の表示部３６０のそれぞれにおける表示について、図１１乃至図１３を参照しながら具体的に説明する。
【００７７】
図１１は、ワンタッチアプリ起動キーにアプリが登録される前の、情報処理装置１０の表示部１３０におけるアプリ一覧画面の表示の一例である。表示部１３０に表示される複数のアイコンにはそれぞれ画像が表示されているが、図１１ではアイコン６０１に天気アプリに関する画像が例示されている。なお、実際には、アイコン６０２〜６２０についてもそれぞれアプリに対応したアイコンの画像が表示される。
【００７８】
ここで、ユーザがスマートデバイス３０を操作して、ワンタッチアプリ起動キー５０１Ｂに、上記アイコン６０１で示される天気アプリを設定したとする。このとき、情報処理装置１０では、図９で説明されたワンタッチアプリ起動キー設定が実行される。このワンタッチアプリ起動キー設定におけるＳ７８０の処理が実行されることで、スマートデバイス３０のワンタッチアプリ起動キー５０１Ｂには、図１２で示されるように天気アプリのアイコンと、そのアプリ名称（図示せず）が表示されるようになる。これらの、アプリの画像データおよびアプリ名称は、既に説明したとおり、ＷｉＦｉアンテナ及び無線ルータ４０を介した通信により、情報処理装置１０からスマートデバイス３０へと送信されたものである。
【００７９】
一方で、図１３に示されるように、情報処理装置１０の表示も変化する。すなわち、ワンタッチアプリ起動キーに設定される前には通常態様で表示されていた天気アプリのアイコン６０１Ｂは、特殊態様で表示された天気アプリのアイコン６０１Ｃへのその表示が変更さ、その下にはアプリの名称が表示されるようになる。
【００８０】
このように、情報処理装置１０がスマートデバイス３０に対して、ワンタッチアプリ起動キーに登録されたアプリのアイコンの画像データ及びアプリ名称を送信することで、スマートデバイス３０では、上記のようにワンタッチアプリ起動キーにかかるアイコンやアプリ名称を表示可能となる。これによって、スマートデバイス３０のワンタッチアプリ起動キーに設定されたアプリの情報をユーザが認識し易くなり、ユーザの操作性をより向上させることが可能となる。
【００８１】
＜５．補足事項＞
以上、本発明の実施形態１乃至実施形態３についての具体的な説明を行った。上記説明は、あくまで一実施形態としての説明であって、本発明の範囲はこの一実施形態に留まらず、当業者が把握可能な範囲にまで広く解釈されるものである。
【００８２】
上記において、ワンタッチアプリは、ワンタッチアプリ起動キーを押下または操作することで選択起動されるアプリであると説明したが、ワンタッチアプリ起動キーだけの押下または操作により選択起動される必要があるわけではなく、別のキーと同時に押下または操作されること、または別のキーを押下または操作した後に押下または操作されることにより、選択起動されてもよい。ただし、ワンタッチアプリ起動キーがユーザによる一度の操作により操作可能とすることが、操作性を高めることができるため好ましい。
【００８３】
本発明のシステムにおいては、リモコン通信またはＷｉＦｉ通信による無線通信で、情報処理装置１０と、リモコン２０またはスマートデバイス３０とのやり取りが行われたが、これらはあくまでの無線通信の例示であって、必ずしもこれらに限定されるものではない。例えば、Ｂｌｕｅ  Ｔｏｏｔｈを利用した無線通信であってもよい。
【００８４】
また、上記の説明では、情報処理装置１０とスマートデバイス３０とは、間に無線ルータ４０を介在させて接続されているとしているが、必ずしも無線ルータ４０が必要なわけではなく、直接接続されてもよい。
【００８５】
また、情報処理装置１０のリモコン送受信部１６０は、送受信可能な構成として説明しているが、受信のみ可能なリモコン受信部としてもよい。一方で、リモコン２０のリモコン送受信部２５０は、送信のみ可能なリモコン送信部としてもよい。
【００８６】
また、上記の説明では、入力キー２３０の押下またはタッチパネル３３０への接触等での操作について説明したが、ジャイロセンサ２４０またはジャイロセンサ３４０による操作による操作でも同様のことが可能である。ただし、入力キー２３０またはタッチパネル３３０による操作は、操作の簡便化が可能であるため、状況によっては好ましい。
【００８７】
また、入力キー２３０は必ずしも押下による操作でなくてもよく、ユーザの接触を感知することで操作されるものであってもよい。
【００８８】
上記の説明では、アイコンの特別態様での表示として、アイコンの枠を赤色の太枠にするなどの態様を説明したが、この態様に限定されるものではない。例えば、通常態様で表示されるアイコンに対して、特別態様で表示されるアイコンが色濃く、強調表示されるような形態や、通常態様で表示されるアイコンを特別態様で表示されるアイコンより薄く表示する態様などが考えられる。
【産業上の利用可能性】
【００８９】
本発明は、リモコンまたは所謂スマートフォンやタブレット端末で操作可能な電子機器に好適に適用される。
【符号の説明】
【００９０】
１０…情報処理装置
２０…リモコン
３０…スマートデバイス
４０…無線ルータ
１１０…制御部
１２０…メモリ
１３０…表示部
１４０…操作部
１５０…ＷｉＦｉ送受信部
１６０…リモコン送受信部
１７０…ＷｉＦｉアンテナ
１８０…リモコンアンテナ
２１０…制御部
２２０…メモリ
２３０…入力キー
２４０…ジャイロセンサ
２５０…リモコン送受信部
２６０…リモコンアンテナ
３１０…制御部
３２０…メモリ
３３０…タッチパネル
３４０…ジャイロセンサ
３５０…ＷｉＦｉ送受信部
３６０…表示部
３７０…アンテナ
４０１〜４１２…キー
５０１〜５１２…仮想キー
６０１〜６２４…アイコン
【図１】
2015114760.tif 000003
【図２】
2015114760.tif 000004
【図３】
2015114760.tif 000005
【図４】
2015114760.tif 000006
【図５】
2015114760.tif 000007
【図６】
2015114760.tif 000008
【図７】
2015114760.tif 000009
【図８】
2015114760.tif 000010
【図９】
2015114760.tif 000011
【図１０】
2015114760.tif 000012
【図１１】
2015114760.tif 000013
【図１２】
2015114760.tif 000014
【図１３】
2015114760.tif 000015